(57)【要約】【課題】光路上に液晶素子を配置することによって光束を制御する移動体用照灯において高いコントラストを得ることを可能にする。【解決手段】入射光を２つの偏光に分離し、偏光の両方を利用する移動体用照灯１００であって、第１偏光子１６又は第２偏光子２０として吸収層を有する吸収型ワイヤーグリッド偏光子が少なくとも１つ配置されている移動体用照灯１００とする。【選択図】図１
2020145036.tif 000002
【特許請求の範囲】
【請求項１】
入射光を２つの偏光に分離し、前記偏光の両方を利用する移動体用照灯であって、
吸収層を有する吸収型ワイヤーグリッド偏光子が少なくとも１つ配置されていることを特徴とする移動体用照灯。
【請求項２】
請求項１に記載の移動体用照灯であって、
前記入射光を前記偏光に分離するビームスプリッタと、
前記偏光の光路上に配置された液晶素子と、
前記液晶素子の入射面側に配置された第１ワイヤーグリッド偏光子と、前記液晶素子の出射面側に配置された第２ワイヤーグリッド偏光子と、
を備え、
前記第１ワイヤーグリッド偏光子及び前記第２ワイヤーグリッド偏光子の少なくとも１つが前記吸収型ワイヤーグリッド偏光子であることを特徴とする移動体用照灯。
【請求項３】
請求項２に記載の移動体用照灯であって、
前記吸収型ワイヤーグリッド偏光子は、前記液晶素子に対向する面に前記吸収層が配置されていることを特徴とする移動体用照灯。
【請求項４】
請求項２又は３に記載の移動体用照灯であって、
前記ビームスプリッタは、第３ワイヤーグリッド偏光子を含み、
前記第３ワイヤーグリッド偏光子は、前記吸収型ワイヤーグリッド偏光子であって、光の出射面側に前記吸収層が配置されていることを特徴とする移動体用照灯。
【請求項５】
請求項１〜４のいずれか１項に記載の移動体用照灯であって、
前記吸収型ワイヤーグリッド偏光子は、金属からなるワイヤーグリッドを備え、
前記吸収層は、前記ワイヤーグリッドの上面又は下面において前記ワイヤーグリッドの形状に合わせて形成されていることを特徴とする移動体用照灯。
【請求項６】
請求項５に記載の移動体用照灯であって、
前記吸収層は、二色性染料によって染色されたポリビニルアルコールフィルムを延伸させた染料系偏光層であることを特徴とする移動体用照灯。
【請求項７】
請求項６に記載の移動体用照灯であって、
前記吸収層は、前記ワイヤーグリッドの上面に形成されており、前記ワイヤーグリッドの延設方向と偏光の透過軸が平行であることを特徴とする移動体用照灯。
【請求項８】
請求項２に記載の移動体用照灯であって、
前記液晶素子は、低温ポリシリコン層からなる駆動素子によって液晶が駆動されることを特徴とする移動体用照灯。
【請求項９】
請求項２に記載の移動体用照灯であって、
前記偏光のいずれか一方の光路上に１／２波長板が配置されていることを特徴とする移動体用照灯。
【請求項１０】
請求項９に記載の移動体用照灯であって、
前記第１ワイヤーグリッド偏光子の入射面側に前記１／２波長板が配置されていることを特徴とする移動体用照灯。
【請求項１１】
請求項２に記載の移動体用照灯であって、
前記液晶素子は、前記偏光の一方の光路上に配置された第１液晶素子と、前記偏光の他方の光路上に配置された第２液晶素子と、からなることを特徴とする移動体用照灯。
【請求項１２】
請求項１〜１１のいずれか１項に記載の移動体用照灯であって、
前記吸収型ワイヤーグリッド偏光子は、前記入射光に対して透明なグリッド状の構造体と、前記構造体の隙間に埋め込まれて前記入射光に対して不透明な微粒子と、からなることを特徴とする移動体用照灯。
【請求項１３】
請求項１〜１２のいずれか１項に記載の移動体用照灯であって、
前記吸収型ワイヤーグリッド偏光子は、消衰係数ｋ及び層厚ｄとしたときに消衰係数ｋと層厚ｄの積ｋｄが２００μｍ以上の非導電性材料を含むことを特徴とする移動体用照灯。
【請求項１４】
請求項２に記載の移動体用照灯であって、
前記液晶素子は、反射型液晶素子であることを特徴とする移動体用照灯。
【請求項１５】
請求項１に記載の移動体用照灯であって、
前記ワイヤーグリッド偏光子を透過した光の光路上に、夜間にその前方４０ｍの距離にある交通上の障害物を確認することに最適な照射が可能なレンズを備えることを特徴とする移動体用照灯。
【発明の詳細な説明】
【技術分野】
【０００１】
本発明は、移動体用照灯に関する。
【背景技術】
【０００２】
近年、自動車の前照灯として対向車や前走車等の状況に応じて配光のパターンを制御することが可能な配光可変灯（ＡＤＢ：Ａｄｏｐｔｉｖｅ  Ｄｒｉｖｉｎｇ  Ｂｅａｍ）が採用されている。特に、迅速に光束を透過又は遮断することができる液晶素子を使用した配光可変灯が知られている。
【０００３】
例えば、光源から出射された光を偏光された２つの部分光路に分離し、第１部分光路上に第１液晶マスク、第１偏光フィルタ及び第１レンズを配置し、第２部分光路上に第２液晶マスク、第２偏光フィルタ及び第２レンズを配置し、第１レンズと第２レンズとを異なる焦点距離とした自動車前照灯が開示されている（特許文献１）。
【先行技術文献】
【特許文献】
【０００４】
【特許文献１】特開２０１７−２１２２１０号公報
【発明の概要】
【発明が解決しようとする課題】
【０００５】
ところで、光路上に液晶素子を配置することによって光束を制御する移動体用照灯では、装置内部における迷光等の影響によって、照射部と非照射部の高いコントラストが得られないという課題があった。
【０００６】
本発明は、移動体用照灯においてコントラストを向上することで、対向車の眩しさ、自車の視認性等を改善することを目的とする。
【課題を解決するための手段】
【０００７】
本発明の１つの態様は、入射光を２つの偏光に分離し、前記偏光の両方を利用する移動体用照灯であって、吸収層を有する吸収型ワイヤーグリッド偏光子が少なくとも１つ配置されていることを特徴とする移動体用照灯である。
【０００８】
ここで、前記入射光を前記偏光に分離するビームスプリッタと、前記偏光の光路上に配置された液晶素子と、前記液晶素子の入射面側に配置された第１ワイヤーグリッド偏光子と、前記液晶素子の出射面側に配置された第２ワイヤーグリッド偏光子と、を備え、前記第１ワイヤーグリッド偏光子及び前記第２ワイヤーグリッド偏光子の少なくとも１つが前記吸収型ワイヤーグリッド偏光子であることが好適である。
【０００９】
また、前記吸収型ワイヤーグリッド偏光子は、前記液晶素子に対向する面に前記吸収層が配置されていることが好適である。
【００１０】
また、前記ビームスプリッタは、第３ワイヤーグリッド偏光子を含み、前記第３ワイヤーグリッド偏光子は、前記吸収型ワイヤーグリッド偏光子であって、光の出射面側に前記吸収層が配置されていることが好適である。
【００１１】
また、前記吸収型ワイヤーグリッド偏光子は、金属からなるワイヤーグリッドを備え、前記吸収層は、前記ワイヤーグリッドの上面又は下面において前記ワイヤーグリッドの形状に合わせて形成されていることが好適である。
【００１２】
また、前記吸収層は、二色性染料によって染色されたポリビニルアルコールフィルムを延伸させた染料系偏光層であることが好適である。
【００１３】
また、前記吸収層は、前記ワイヤーグリッドの上面に形成されており、前記ワイヤーグリッドの延設方向と偏光の透過軸が平行であることが好適である。
【００１４】
また、前記液晶素子は、低温ポリシリコン層からなる駆動素子によって液晶が駆動されることが好適である。
【００１５】
また、前記偏光のいずれか一方の光路上に１／２波長板が配置されていることが好適である。
【００１６】
また、前記第１ワイヤーグリッド偏光子の入射面側に前記１／２波長板が配置されていることが好適である。
【００１７】
また、前記液晶素子は、前記偏光の一方の光路上に配置された第１液晶素子と、前記偏光の他方の光路上に配置された第２液晶素子と、からなることが好適である。
【００１８】
また、前記吸収型ワイヤーグリッド偏光子は、前記入射光に対して透明なグリッド状の構造体と、前記構造体の隙間に埋め込まれて前記入射光に対して不透明な微粒子と、からなることが好適である。
【００１９】
また、前記吸収型ワイヤーグリッド偏光子は、消衰係数ｋ及び層厚ｄとしたときに消衰係数ｋと層厚ｄの積ｋｄが２００μｍ以上の非導電性材料を含むことが好適である。
【００２０】
また、前記液晶素子は、反射型液晶素子であることが好適である。
【００２１】
また、前記ワイヤーグリッド偏光子を透過した光の光路上に、夜間にその前方４０ｍの距離にある交通上の障害物を確認することに最適な照射が可能なレンズを備えることが好適である。
【発明の効果】
【００２２】
本発明によれば、光路上に液晶素子を配置することによって光束を制御する移動体用照灯において高いコントラストを得ることができる。
【図面の簡単な説明】
【００２３】
【図１】本発明の実施の形態における移動体用照灯の構成を示す図である。
【図２】本発明の実施の形態における偏光子の構成を示す図である。
【図３】本発明の実施の形態における偏光子の構成を示す図である。
【図４】本発明の実施の形態における偏光子の構成を示す図である。
【図５】変形例１における移動体用照灯の構成を示す図である。
【図６】変形例２における移動体用照灯の構成を示す図である。
【図７】変形例３における移動体用照灯の構成を示す図である。
【図８】変形例４における移動体用照灯の構成を示す図である。
【図９】変形例５における移動体用照灯の構成を示す図である。
【発明を実施するための形態】
【００２４】
本発明の実施の形態における移動体用照灯１００は、図１に示すように、光源１０、ビームスプリッタ１２、反射鏡１４、第１偏光子１６（１６ａ，１６ｂ）、液晶素子１８、第２偏光子２０（２０ａ，２０ｂ）、レンズ２２（２２ａ，２２ｂ）を含んで構成される。
【００２５】
移動体用照灯１００は、自動車等の移動体に搭載され、移動体の移動方向を照らす前照灯等に利用される。特に、車両に取り付けられたカメラやその他のセンシングにより対向車や前走車等の状況に応じて配光のパターンを制御することが可能な配光可変灯（ＡＤＢ）として機能する。これにより対向車等へ照射を遮光し、眩しさを防ぎつつ、道路や通行人など照射部は良好な視界を得ることができる。
【００２６】
光源１０は、移動体用照灯１００から照射される光を出力する部材である。光源１０は、例えば、発光ダイオード（ＬＥＤ）、レーザダイオード（ＬＤ）、ハロゲンランプ、高圧水銀ランプ（ＨＩＤ）等とすることができる。光源１０としてＬＥＤやＬＤを適用した場合、多数の個々のＬＥＤ素子を二次元マトリックス状に配置した構成とすることが好適である。光源１０は、偏光されていない光からなる略平行で拡散しない光束を出力する。
【００２７】
ビームスプリッタ１２は、光源１０からの光束を２つに分離する光学素子である。すなわち、ビームスプリッタ１２に入射した光の一部は反射され、残りの一部は透過する。本実施の形態において、ビームスプリッタ１２は、光源１０から入射された光を互いに直交する偏光成分に分離できる偏光ビームスプリッタとする。ビームスプリッタ１２は、ワイヤーグリッド偏光子を含んで構成することができる。
【００２８】
図１の例では、ビームスプリッタ１２は、光源１０から出射される光の光路に対して４５°傾斜して配置される。ビームスプリッタ１２は、光源１０から入射された光を紙面に垂直な偏光成分（図中、ドット印で示す）に分離して４５°に反射させて第１光路Ｓ１に出射すると共に、光源１０から入射された光を紙面に平行な偏光成分（図中、ライン印で示す）に分離して光の入射方向に沿った第２光路Ｓ２に透過させる。ただし、このような構成に限定されるものではなく、ビームスプリッタ１２は光源１０から入射された光の偏光成分を異なる方向に分離するものであればよい。
【００２９】
反射鏡１４は、光を反射させて光路方向を変更する鏡である。反射鏡１４は、第２光路Ｓ２に沿って入射した光を４５°に反射させるように配置される。これによって、第１光路Ｓ１と第２光路Ｓ２とが略平行な光路となる。反射鏡１４は、ガラス等の基板上に銀（Ａｇ）を蒸着した構成とすることができる。
【００３０】
第１偏光子１６は、入射した光に対して特定の１つの方向の偏光成分の光のみを透過し、それ以外の方向の偏光成分の光を遮断する光学素子である。図１の移動体用照灯１００では、第１光路Ｓ１上に第１偏光子１６ａが配置され、第２光路Ｓ２上に第１偏光子１６ｂが配置される。第１偏光子１６ａは、ビームスプリッタ１２によって第１光路Ｓ１に沿って分離された偏光と同じ方向に透過軸が一致するように配置される。すなわち、第１偏光子１６ａは、紙面に垂直な方向の偏光成分の光を透過し、他の方向の偏光成分を遮断するように透過軸が配置される。第１偏光子１６ｂは、ビームスプリッタ１２によって第２光路Ｓ２に沿って分離された偏光と同じ方向に透過軸が一致するように配置される。すなわち、第１偏光子１６ｂは、紙面に平行な方向の偏光成分の光を透過し、他の方向の偏光成分を遮断するように透過軸が配置される。
【００３１】
このように、液晶素子１８の入射面側に第１偏光子１６（１６ａ，１６ｂ）を設けることによって、従来技術のように液晶素子の入射面側に偏光子が設けられていない構成に比べて移動体用照灯１００から照射される光のコントラストを向上させることができる。
【００３２】
液晶素子１８は、入射する光を透過する状態又は遮断する状態に切り替えることができる液晶層を備える光学素子である。液晶素子１８は、特に限定されるものではないが、ＴＮ方式、ＶＡ方式、ＩＰＳ方式等の駆動タイプとすることができる。また、液晶素子１８は、低温ポリシリコン層によって液晶の駆動素子を構成することが好適である。液晶素子１８は、多数の液晶セル（画素）を二次元マトリックス状に配置し、それぞれの液晶セル（画素）を入射する光を透過する状態と遮断する状態との間で遷移させることができる構成とすることが好適である。液晶素子１８は、第１光路Ｓ１及び第２光路Ｓ２に跨がって配置される。したがって、液晶素子１８によって第１光路Ｓ１の光の透過率及び第２光路Ｓ２の光の透過率を制御して自由な形状及び強度の光を出射させることができる。
【００３３】
第２偏光子２０は、入射した光に対して特定の１つの方向の偏光成分の光のみを透過し、それ以外の方向の偏光成分の光を遮断する光学素子である。図１の移動体用照灯１００では、第１光路Ｓ１上に第２偏光子２０ａが配置され、第２光路Ｓ２上に第２偏光子２０ｂが配置される。第２偏光子２０ａは、液晶素子１８によって透過された第１光路Ｓ１に沿った偏光と同じ方向に透過軸が一致するように配置される。すなわち、第２偏光子２０ａは、液晶素子１８によって紙面に垂直な方向の偏光成分から紙面に平行な方向の偏光成分に変換された第１光路Ｓ１上の光を透過し、他の方向の偏光成分を遮断するように透過軸が配置される。第２偏光子２０ｂは、液晶素子１８によって透過された第２光路Ｓ２に沿った偏光と同じ方向に透過軸が一致するように配置される。すなわち、第２偏光子２０ｂは、液晶素子１８によって紙面に平行な方向の偏光成分から紙面に垂直な方向の偏光成分に変換された第２光路Ｓ２上の光を透過し、他の方向の偏光成分を遮断するように透過軸が配置される。
【００３４】
レンズ２２は、透過する光を焦点距離において収束させる光学素子である。図１の移動体用照灯１００では、第１光路Ｓ１上にレンズ２２ａが配置され、第２光路Ｓ２上にレンズ２２ｂが配置される。例えば、第１光路Ｓ１のレンズ２２ａの焦点距離ｆ１と第２光路Ｓ２のレンズ２２ｂの焦点距離ｆ２を異ならせてもよい。これによって、第１光路Ｓ１に沿ってレンズ２２ａに入射した光を焦点距離ｆ１において収束させるように照射し、第２光路Ｓ２に沿ってレンズ２２ｂに入射した光を焦点距離ｆ２において収束させるように照射することができる。すなわち、移動体用照灯１００によって異なる位置を重点的に照射することができる。
【００３５】
移動体用照灯１００では、光源１０と液晶素子１８とを制御することによって光の照射位置、照射範囲及び照射強度を適切に変更することができる。例えば、移動体用照灯１００を自動車の前照灯として搭載した場合、対向車、前走車等や歩行者等の状況に応じて配光のパターンを制御することが可能な配光可変灯（ＡＤＢ）として利用することができる。
【００３６】
ここで、第１偏光子１６は、吸収層を有する吸収型ワイヤーグリッド偏光子とすることが好適である。また、第２偏光子２０も、吸収層を有する吸収型ワイヤーグリッド偏光子とすることが好適である。
【００３７】
ワイヤーグリッド偏光子（ＷＧＰ）は、図２に示すように、ガラスや樹脂等の透明な基板３０の表面に平行に配設されたグリッド３２の配列を含む構成を有する。すなわち、基板３０上におけるワイヤー状のグリッド３２の単一の周期的な配列を含む。ワイヤー状のグリッド３２の周期が光の波長の概ね半分より大きいときには、ワイヤーグリッド偏光子は回折格子として振る舞う。ワイヤー状のグリッド３２の周期が光の波長の概ね半分より小さいときには、ワイヤーグリッド偏光子は偏光子として振る舞う。
【００３８】
基板３０は、構造体３４及びグリッド３２を構造的に支持する部材である。基板３０は、偏光の対象となる光の波長領域に対して透光性を有する材料から構成される。偏光の対象となる光が可視光の場合、基板３０は、例えば、ガラス基板とすることができる。また、基板３０は、例えば、ポリメチルメタクリレート（ＰＭＭＡ）、ポリカーボネート（ＰＣ）、シクロオレフィン（ＣＯＰ）、ポリエチレンテレフタレート（ＰＥＴ）、ポリエチレンナフタレート（ＰＥＮ）、トリアセテートセルロース（ＴＡＣ）等としてもよい。なお、基板３０は、平面方向の位相差が無いか又は小さい方が好ましい。
【００３９】
構造体３４は、基板３０の表面上において繰り返し凹凸構造を設けるための部材である。すなわち、構造体３４は、Ｙ方向に沿って延びる線状の構造をＸ方向に沿って周期的に繰り返し配置した構成を有する。構造体３４は、偏光の対象とする光の波長に対して透光性を有する材料から構成される。具体的には、構造体３４は、偏光の対象とする光の波長に対して８５％以上の透過率を有することが好適である。偏光の対象となる光が可視光の場合、構造体３４は、可視光の波長領域に対して透光性を有するエポキシ樹脂、ポリイミド樹脂、アクリル樹脂、ポリカーボネート樹脂等の樹脂とすることが好適である。構造体３４は、例えば、ダイセル製のＮＩＡＣシリーズから選択されたＵＶ硬化型樹脂とすることが好適である。また、構造体３４は複数の異なる種類の樹脂を積層させた多層構造としてもよい。構造体３４を多層構造とすることによって、それぞれの樹脂層の特徴を兼ね備えた構造体３４を構成することができる。
【００４０】
グリッド３２は、光を反射又は吸収することによって光を偏光させるための部材である。グリッド３２は、基板３０の表面上において繰り返し配置される線状構造を有する。すなわち、グリッド３２は、Ｙ方向に沿って延びる線状の構造をＸ方向に沿って周期的に繰り返し配置した構成を有する。
【００４１】
グリッド３２は、繰り返し凹凸構造を有する構造体３４の凹部に埋め込まれるように設けられる。ただし、構造体３４を設けず、グリッド３２のみを設けた構成としてもよい。
【００４２】
本実施の形態では、グリッド３２は、図３の断面図に示すように、反射偏光子３２ａと吸収層３２ｂとを重ね合わせた構成を有する。反射偏光子３２ａは、偏光の対象となる光の波長に対して不透明な材料により構成される。偏光の対象となる光が可視光の場合、反射偏光子３２ａは、例えば、銀、銅、金、アルミニウム、亜鉛、タングステン、ニッケル、白金等の金属、酸化スズ、酸化インジウム、酸化亜鉛等の金属酸化物等により構成することができる。反射偏光子３２ａは、例えば、数１０〜数１００μｍの高さとすることが好適である。反射偏光子３２ａは、グリッド３２の長手方向と直交する方向に振動する光は透過し、グリッド３２の長手方向と平行な方向に振動する光は反射する。
【００４３】
吸収層３２ｂは、入射する光の少なくとも一部を吸収する特性を有する。吸収層３２ｂは、例えば、シリコン、ゲルマニウム、アモルファスシリコンとすることができる。図３では、吸収層３２ｂを反射偏光子３２ａ上に設けた構成としたが、反射偏光子３２ａと吸収層３２ｂとを入れ替えた構成としてもよい。さらに、反射偏光子３２ａの両側に吸収層３２ｂを設けた構成としてもよい。また、図３では、基板３０の上面側に吸収層３２ｂを設けた構成としたが、基板３０の下面側に吸収層３２ｂを設けた構成としてもよい。基板３０を挟んで反射偏光子３２ａと反対側に吸収層３２ｂを設けた構成としてもよい。
【００４４】
グリッド３２は、例えば、ＴＡＣ等の基板３０上に２００μｍの厚さのアルミニウム層を反射偏光子３２ａとして形成し、その上に厚さ２０ｎｍのアモルファスシリコン層を吸収層３２ｂとして形成し、フォトリソグラフィ技術等を用いてそれらをグリッド状に加工することで形成することができる。また、グリッド３２は、ナノインプリントリソグラフィー技術（ＮＩＬ）を適用して形成することもできる。具体的には、基板３０にナノインプリントでネガ形状のレジストパターンを形成し、アッシングにより不要な個所のレジストを除去、その後、ＣＶＤによってアルミニウム層を反射偏光子３２ａとして形成し、アモルファスシリコン層を吸収層３２ｂとして連続成膜する。そして、リフトオフと呼ばれる方法を適用してレジストを除去することによりグリッド３２を作成することができる。さらに、反射偏光子３２ａは、金属の自己組織化技術を用いて形成することもできる（Macromolecular Chemistry and Physics, Vol.217, No. 6 (2016)参照）。
【００４５】
また、例えば、繰り返し凹凸構造を有する構造体３４の隙間にグリッド３２を構成する材料の微粒子を分散させた分散液を塗布することによってグリッド３２を形成してもよい。分散液の塗布方法は、例えば、スピンコート法を適用することができる。また、毛細管現象を利用して構造体３４の隙間に分散液を充填させる方法等を適用してもよい。
【００４６】
ここで、微粒子は、構造体３４の隙間（おおよそグリッド３２の幅Ｗ１）以下の粒径が２０％以上含まれていることが好適である。このような粒径とすることによって、繰り返し凹凸構造を有する構造体３４の凹部に微粒子を適切に充填させることができる。また、微粒子を分散させる分散媒は、例えば、水、有機溶媒（アルコール等）等とすればよい。分散液における微粒子の濃度は１０％以上９０％以下とすることが好適である。このように塗布された分散液に含まれる分散媒を除去することによってグリッド３２を形成することができる。例えば、分散液が塗布された状態において加熱することによって分散媒を蒸発させることで分散媒を取り除くことができる。なお、必要に応じて分散液の塗布と分散媒の除去とを繰り返してもよい。
【００４７】
このとき、複数の異なる材料を積層させてグリッド３２を形成するようにしてもよい。例えば、反射偏光子３２ａを構成するための銀（Ａｇ）等の材料からなる微粒子を塗布し、吸収層３２ｂを構成するためのカーボンブラック等の材料からなる微粒子を塗布するようにしてもよい。この場合、銀（Ａｇ）等の材料からなる微粒子を分散させた分散液を塗布し、乾燥させることで反射偏光子３２ａを形成する。その後、カーボンブラック等の材料からなる微粒子を分散させた分散液を塗布し、乾燥させることで吸収層３２ｂを形成する。
【００４８】
グリッド３２の周期構造は、偏光の対象となる光の波長に応じて設定される。グリッド３２が配置されるピッチＰは、偏光の対象となる光の波長の１／５倍〜１／２倍に設定することが好適である。例えば、偏光の対象となる光が可視光の場合、グリッド３２のピッチＰは４００ｎｍ以下とすることが好適であり、１５０ｎｍ以下とすることがより好適である。また、グリッド３２の幅Ｗ１は２００ｎｍ以下とすることが好適であり、３０ｎｍ以上１００ｎｍ以下とすることがより好適である。したがって、構造体３４のピッチＰも４００ｎｍ以下とし、構造体３４の幅Ｗ２はピッチＰからグリッド３２の幅Ｗ１を引いた値であり、例えば、５０ｎｍ以上１２０ｎｍ以下とすることが好適である。
【００４９】
また、グリッド３２の層厚ｄは、２００ｎｍ以上とすることが好適である。また、グリッド３２のアスペクト比（層厚ｄ／幅Ｗ１）は、２以上とすることが好適である。また、グリッド３２は消衰係数ｋであると共に層厚ｄである場合、消衰係数ｋと層厚ｄの積ｋｄが１００ｎｍ以上であることが好適であり、２００ｎｍ以上であることがより好適である。ここで、消衰係数ｋは、物質内における光の吸収による強度変化をＩ＝Ｉ０ｅｘｐ（−ａｘ）（ただし、物質へ入射する光の初期強度Ｉ０、吸収係数ａ、物質の厚さｘとする）で表したときに、吸収係数ａ＝４πｋ／λ（ただし、光の波長λ）の関係で表される係数である。また、グリッド３２が多層構造の場合、ｎ層目の材料の消衰係数をｋ（ｎ）、層厚ｄ（ｎ）としたとき、各々の層の消衰係数ｋ（ｎ）と層厚ｄ（ｎ）の積の和、Σｋ（ｎ）・ｄ（ｎ）が２００ｎｍ以上であることが好適である。例えば、２層構造のグリッド３２において第１のグリッド層が消衰係数ｋ１、層厚ｄ１であり、第２のグリッド層が消衰係数ｋ２、層厚ｄ２である場合、ｋ１・ｄ１＋ｋ２・ｄ２が２００ｎｍ以上であることが好適である。消衰係数ｋと層厚ｄの積ｋｄの条件を満たすことによって、グリッド３２のピッチＰが４００ｎｍ以下であっても透過及び反射の両方において優れた偏光特性を得ることができる。
【００５０】
なお、このようなワイヤーグリッド偏光子は、例えば、製品名Ｐｒｏｆｌｕｘ  ＰＰＬ０５Ｃ又はＰｒｏｆｌｕｘ  ＰＦＵ０１Ｃ（いずれも株式会社ポラテクノ製）等として市場より入手することができる。
【００５１】
また、グリッド３２及び構造体３４の表面には平坦化層を設けてもよい。平坦化層は、厚さが１μｍ程度の樹脂層とすることが好適である。また、平坦化層の屈折率は１．５以下であることが好適であり、１．４以下であることがより好適である。
【００５２】
また、吸収層３２ｂをＰＶＡ系樹脂（例えば、ポリビニルアルコールフィルム）に二色性色素によって染色がなされたものを延伸した偏光素子を含むものとしてもよい。吸収層３２ｂの厚さは、例えば、５μｍ程度とすることが好適である。吸収層３２ｂは延伸方向に吸収軸をもつが、吸収軸はグリッド３２の延設方向と平行になるように配置する。
【００５３】
二色性色素は、染料系材料によって構成することが好適である。二色性染料として、例えば、アゾ系化合物、アントラキノン系化合物、テトラジン系化合物又はその塩等を用いることができる。その中でも、アゾ系化合物又はその塩等を用いた場合には、光学特性に優れるだけでなく、ヨウ素を用いた場合に比べ、高温条件下や、高温高湿条件下における光学特性の耐久性が優れるため、車両等の厳しい環境での使用において長期間の信頼性を得ることができる。また、種々の染料配合により移動体用照灯１００のために光学波形及び色相を最適に調整した偏光子を得ることができる。
【００５４】
アゾ系化合物染料としては下記の染料を例示することができる。
【００５５】
（１）再公表特許ＷＯ２００９／０５７６７６（Ａ１）に開示されている化学式（１）で表されるアゾ化合物又はその塩。
【化１】
2020145036.tif 000003
（式中、Ｒ１は水素原子、低級アルキル基、低級アルコキシル基、ヒドロキシル基、スルホン酸基、又はカルボキシル基を示し、Ｒ２〜Ｒ５は各々独立に、水素原子、低級アルキル基、低級アルコキシル基、又はアセチルアミノ基を示し、Ｘは置換基を有してもよいベンゾイルアミノ基、置換基を有してもよいフェニルアミノ基、置換基を有してもよいフェニルアゾ基、又は置換基を有してもよいナフトトリアゾール基であり、ｍは１又は２、ｎは０又は１を示す。）
【００５６】
（２）再公表特許ＷＯ２００７／１４５２１０（Ａ１）に開示されている化学式（２）で表されるアゾ化合物又はその塩。
【化２】
2020145036.tif 000004
（式中、Ａは、置換基を有するフェニル基又は１〜３のスルホン酸基を有するナフチル基を示し、Ｘは、−Ｎ＝Ｎ−又は−ＮＨＣＯ−を示す。Ｒ１〜Ｒ４は各々独立に水素原子、低級アルキル基又は低級アルコキシル基を示し、ｍ＝１〜３、ｎ＝０又は１を示す。）
【００５７】
（３）再公表特許ＷＯ２００６／０５７２１４（Ａ１）に開示されている化学式（３）で表されるトリスアゾ染料。
【化３】
2020145036.tif 000005
（式中、Ｒ１はスルホン酸基、カルボキシル基又は低級アルコキシ基を表し、Ｒ２は、スルホン酸基、カルボキシル基、低級アルキル基又は低級アルコキシ基を表す。但し、Ｒ１、Ｒ２がともにスルホン酸基の場合を除く。Ｒ３〜Ｒ６は各々独立に水素原子、低級アルキル基又は低級アルコキシル基、Ｒ７、Ｒ８は各々独立に水素原子、アミノ基、水酸基、スルホン酸基又はカルボキシル基を表す。）
【００５８】
（４）特開２００４−２５１９６３号公報に開示されている化学式（４）で表される含金属ジスアゾ化合物又はその塩。
【化４】
2020145036.tif 000006
（式中、Ｍは銅、ニッケル、亜鉛及び鉄から選ばれる遷移金属を表し；Ａ１は置換されていてもよいフェニル又は置換されていてもよいナフチルを表し；Ｂ１は置換されていてもよい１−又は２−ナフトール残基を表し、そのナフトールの水酸基はアゾ基の隣接位にあって、Ｍで表される遷移金属と錯結合しており；Ｒ１及びＲ２はそれぞれ独立に、水素、低級アルキル、低級アルコキシ、カルボキシル、スルホ、スルファモイル、Ｎ−アルキルスルファモイル、アミノ、アシルアミノ、ニトロ又はハロゲンを表す。）
【００５９】
（５）化学式（５）で表されるトリスアゾ化合物。
【化５】
2020145036.tif 000007
（式中、Ａ２及びＢ２はそれぞれ独立に、置換されていてもよいフェニル又は置換されていてもよいナフチルを表し；Ｒ３及びＲ４はそれぞれ独立に、水素、低級アルキル、低級アルコキシ、カルボキシル、スルホ、スルファモイル、Ｎ−アルキルスルファモイル、アミノ、アシルアミノ、ニトロ又はハロゲンを表し；ｍは０又は１を表す。）
【００６０】
（６）特開平３−１２６０６号公報に開示された化学式（６）で表される水溶性化合物又はこの銅錯塩化合物。
【化６】
2020145036.tif 000008
（式中、Ａはメチル基で置換されたフェニル基又はナフチル基を表し、Ｒはアミノ基、メチルアミノ基、エチルアミノ基又はフェニルアミノ基を表す。）
【００６１】
（７）特開昭５９−１４５２５５号公報に開示された化学式（７）で表される水溶性ジスアゾ化合物又はこの銅錯塩化合物。
【化７】
2020145036.tif 000009
【００６２】
（８）その他、例えば、Ｃ．Ｉ．Ｄｉｒｅｃｔ  Ｙｅｌｌｏｗ  １２、Ｃ．Ｉ．Ｄｉｒｅｃｔ  Ｙｅｌｌｏｗ  ２８、Ｃ．Ｉ．Ｄｉｒｅｃｔ  Ｙｅｌｌｏｗ  ４４、Ｃ．Ｉ．Ｄｉｒｅｃｔ  Ｙｅｌｌｏｗ  １４２、Ｃ．Ｉ．Ｄｉｒｅｃｔ  Ｏｒａｎｇｅ  ２６、Ｃ．Ｉ．Ｄｉｒｅｃｔ  Ｏｒａｎｇｅ  ３９、Ｃ．Ｉ．Ｄｉｒｅｃｔ  Ｏｒａｎｇｅ  ７１、Ｃ．Ｉ．Ｄｉｒｅｃｔ  Ｏｒａｎｇｅ  １０７、Ｃ．Ｉ．Ｄｉｒｅｃｔ  Ｒｅｄ  ２、Ｃ．Ｉ．Ｄｉｒｅｃｔ  Ｒｅｄ  ３１、Ｃ．Ｉ．Ｄｉｒｅｃｔ  Ｒｅｄ  ７９、Ｃ．Ｉ．Ｄｉｒｅｃｔ  Ｒｅｄ  ８１、Ｃ．Ｉ．Ｄｉｒｅｃｔ  Ｒｅｄ  １１７、Ｃ．Ｉ．Ｄｉｒｅｃｔ  Ｒｅｄ  ２４７、Ｃ．Ｉ．Ｄｉｒｅｃｔ  Ｇｒｅｅｎ  ８０、Ｃ．Ｉ．Ｄｉｒｅｃｔ  Ｇｒｅｅｎ  ５９、Ｃ．Ｉ．Ｄｉｒｅｃｔ  Ｂｌｕｅ  ７１、Ｃ．Ｉ．Ｄｉｒｅｃｔ  Ｂｌｕｅ  ７８、Ｃ．Ｉ．Ｄｉｒｅｃｔ  Ｂｌｕｅ  １６８、Ｃ．Ｉ．Ｄｉｒｅｃｔ  Ｂｌｕｅ  ２０２、Ｃ．Ｉ．Ｄｉｒｅｃｔ  Ｖｉｏｌｅｔ  ９、Ｃ．Ｉ．Ｄｉｒｅｃｔ  Ｖｉｏｌｅｔ  ５１、Ｃ．Ｉ．Ｄｉｒｅｃｔ  Ｂｒｏｗｎ  １０６、Ｃ．Ｉ．Ｄｉｒｅｃｔ  Ｂｒｏｗｎ  ２２３等が挙げられる。なお、可視域の各波長における偏光特性を補うようにこれらの染料を２種又は３種以上配合しＰＶＡに染着することによって、ニュートラルグレーを呈する色相とすることが好ましい。さらに、可視光域における各波長の透過率が均等となるように設計された染料系偏光板であるポラテクノ社製の無彩色偏光板シリーズを用いてもよい。
【００６３】
また、市販染料ではＫａｙａｆｅｃｔ  Ｖｉｏｌｅｔ  Ｐ  Ｌｉｑｕｉｄ（日本化薬社製）、Ｋａｙａｆｅｃｔ  Ｙｅｌｌｏｗ  Ｙ及びＫａｙａｆｅｃｔ  Ｏｒａｎｇｅ  Ｇ、Ｋａｙａｆｅｃｔ  Ｂｌｕｅ  ＫＷ及びＫａｙａｆｅｃｔ  Ｂｌｕｅ  Ｌｉｑｕｉｄ  ４００等を挙げることができる。
【００６４】
なお、第１偏光子１６ａ及び第１偏光子１６ｂ並びに第２偏光子２０ａ及び第２偏光子２０ｂの少なくとも１つを吸収型ワイヤーグリッド偏光子とすることが好適である。これによって、移動体用照灯１００内において発生した迷光を吸収型ワイヤーグリッド偏光子に含まれる吸収層３２ｂによって吸収することができ、移動体用照灯１００による照明においてコントラストを向上させることができる。
【００６５】
このとき、吸収層３２ｂを液晶素子１８に対向させるように吸収型ワイヤーグリッド偏光子を配置することが好適である。すなわち、第１偏光子１６ａに吸収型ワイヤーグリッド偏光子を適用した場合、液晶素子１８の入射面側に吸収層３２ｂが対向するように第１偏光子１６ａを配置する。同様に、第１偏光子１６ｂに吸収型ワイヤーグリッド偏光子を適用した場合、液晶素子１８の入射面側に吸収層３２ｂが対向するように第１偏光子１６ｂを配置する。また、第２偏光子２０ａに吸収型ワイヤーグリッド偏光子を適用した場合、液晶素子１８の出射面側に吸収層３２ｂが対向するように第２偏光子２０ａを配置する。同様に、第２偏光子２０ｂに吸収型ワイヤーグリッド偏光子を適用した場合、液晶素子１８の出射面側に吸収層３２ｂが対向するように第２偏光子２０ｂを配置する。
【００６６】
また、第１偏光子１６ａ、１６ｂ、第２偏光子２０ａ、２０ｂの入射面、出射面の両面に吸収層を設けても移動体用照灯１００におけるコントラストを向上させることができる。
【００６７】
移動体用照灯１００では、液晶素子１８に光が入射する際又は液晶素子１８から光が出射する際に迷光が発生し、この迷光によって照射される光のコントラストが低下することがある。そこで、吸収層３２ｂを液晶素子１８に対向させるように吸収型ワイヤーグリッド偏光子を配置することによって、液晶素子１８によって発生する迷光を効果的に吸収することができ、移動体用照灯１００からの照射光のコントラストを向上させることができる。
【００６８】
なお、移動体用照灯１００のコントラストの測定は、ウシオ電機製分光放射輝度計ＵＳＲ−４５シリーズを用いて、液晶素子１８の制御により光源１０からの光を透過、遮光した際に移動体用照灯１００から照射される輝度を測定して求めた。
【００６９】
また、ビームスプリッタ１２を吸収型ワイヤーグリッド偏光子としてもよい。これによって、ビームスプリッタ１２によっても移動体用照灯１００における迷光を吸収させることで移動体用照灯１００からの照射光のコントラストを向上させることができる。
【００７０】
例えば、光の出射面側に吸収層３２ｂが位置するようにビームスプリッタ１２を配置することが好適である。これによって、反射鏡１４や第１偏光子１６において生じて第１偏光子１６に戻ってきた迷光を吸収層３２ｂによって効果的に吸収させることができる。これによって、移動体用照灯１００からの照射光のコントラストを向上させることができる。
【００７１】
なお、自動車の運転者らが偏光サングラスを装着した場合、サングラスの吸収軸と移動体用照灯１００から照射される光の偏光軸とが一致し視認できなくなるおそれがある。図１に示した移動体用照灯１００ではレンズ２２ａから照射される光とレンズ２２ｂから照射される光は互いに直交する偏光成分を有するので、少なくとも一方の光の偏光軸はサングラスの吸収軸と一致しないので偏光サングラスを装着した運転者に対する視認性を確保することができる。
【００７２】
［変形例１］
図５は、上記実施の形態の変形例１における移動体用照灯１０２の構成を示す。移動体用照灯１０２では、ビームスプリッタ１２によって第１光路Ｓ１及び第２光路Ｓ２に分離された偏光のいずれか一方の光路上に１／２波長板２４が配置される。
【００７３】
図５の例では、反射鏡１４と第１偏光子１６との間の第２光路Ｓ２上に１／２波長板２４を配置した構成としている。これによって、第１光路Ｓ１及び第２光路Ｓ２において第１偏光子１６に入射する光の偏光方向（紙面に対して垂直方向）を揃えることができる。ただし、ビームスプリッタ１２と第１偏光子１６との間の第１光路Ｓ１に１／２波長板２４を配置した構成としてもよい。この場合、第１光路Ｓ１及び第２光路Ｓ２において第１偏光子１６に入射する光の偏光方向（紙面に対して平行方向）を揃えることができる。
【００７４】
このような構成とすることによって、第１偏光子１６に入射する前に第１光路Ｓ１又は第２光路Ｓ２の偏光成分を９０度回転させ、第１偏光子１６に入射する前に第１光路Ｓ１及び第２光路Ｓ２の光の偏光成分を一致させることができる。したがって、第１偏光子１６及び第２偏光子２０をそれぞれ１つに纏めることができ、移動体用照灯１０２の構成を簡素化することができる。
【００７５】
また、液晶素子１８に対して移動体用照灯１００のように２つの直交する偏光を考慮した制御を行う必要がなくなる。したがって、液晶素子１８の制御回路等の構成を簡素化することができる。
【００７６】
なお、移動体用照灯１０２のように第１光路Ｓ１及び第２光路Ｓ２の光の偏光方向が一致している場合、自動車の運転者らが偏光サングラスを装着したときにサングラスの吸収軸と移動体用照灯１０２から照射される光の偏光軸とが一致すると視認し難くなるおそれがある。そこで、例えば、第１光路Ｓ１又は第２光路Ｓ２のいずれかに位相差板を設けて、移動体用照灯１０２から照射される光の光軸をずらすことによって視認性の問題を解消することができる。
【００７７】
移動体用照灯１０２においても、第１偏光子１６及び第２偏光子２０の少なくとも１つを吸収型ワイヤーグリッド偏光子とすることが好適である。これによって、移動体用照灯１０２内において発生した迷光を吸収型ワイヤーグリッド偏光子に含まれる吸収層３２ｂによって吸収することができ、移動体用照灯１０２による照明においてコントラストを向上させることができる。
【００７８】
また、移動体用照灯１０２においても、ビームスプリッタ１２を吸収型ワイヤーグリッド偏光子としてもよい。これによって、ビームスプリッタ１２によっても移動体用照灯１０２における迷光を吸収させることで移動体用照灯１０２からの照射光のコントラストを向上させることができる。
【００７９】
［変形例２］
図６は、上記実施の形態の変形例２における移動体用照灯１０４の構成を示す。移動体用照灯１０４では、移動体用照灯１０２と同様に、ビームスプリッタ１２によって第１光路Ｓ１及び第２光路Ｓ２に分離された偏光のいずれか一方の光路上に１／２波長板２４が配置される。
【００８０】
移動体用照灯１０４では、ビームスプリッタ１２と反射鏡１４と間の第２光路Ｓ２上に１／２波長板２４を配置した構成としている。これによって、第１光路Ｓ１及び第２光路Ｓ２において第１偏光子１６に入射する光の偏光方向（紙面に対して垂直方向）を揃えることができる。
【００８１】
このような構成とすることによって、変形例１と同様に、第１偏光子１６に入射する前に第２光路Ｓ２の偏光成分を９０度回転させ、第１偏光子１６に入射する前に第１光路Ｓ１及び第２光路Ｓ２の光の偏光成分を一致させることができる。したがって、第１偏光子１６及び第２偏光子２０をそれぞれ１つに纏めることができ、移動体用照灯１０４の構成を簡素化することができる。また、液晶素子１８に対して移動体用照灯１００のように２つの直交する偏光を考慮した制御を行う必要がなくなる。したがって、液晶素子１８の制御回路等の構成を簡素化することができる。
【００８２】
移動体用照灯１０４においても、第１偏光子１６及び第２偏光子２０の少なくとも１つを吸収型ワイヤーグリッド偏光子とすることが好適である。これによって、移動体用照灯１０４内において発生した迷光を吸収型ワイヤーグリッド偏光子に含まれる吸収層３２ｂによって吸収することができ、移動体用照灯１０４による照明においてコントラストを向上させることができる。
【００８３】
また、移動体用照灯１０４においても、ビームスプリッタ１２を吸収型ワイヤーグリッド偏光子としてもよい。これによって、ビームスプリッタ１２によっても移動体用照灯１０４における迷光を吸収させることで移動体用照灯１０４からの照射光のコントラストを向上させることができる。
【００８４】
［変形例３］
図７は、上記実施の形態の変形例３における移動体用照灯１０６の構成を示す。移動体用照灯１０６では、液晶素子１８として２つの液晶素子１８ａと液晶素子１８ｂとを設ける。すなわち、第１光路Ｓ１上に液晶素子１８ａを配置し、第２光路Ｓ２上に液晶素子１８ｂを配置する
【００８５】
ここで、液晶素子１８ａ及び液晶素子１８ｂをそれぞれ排他的にＯモード及びＥモードのいずれかとすることが好適である。Ｏモードの液晶素子１８とは、液晶素子１８の入射面側に配置される第１偏光子１６の吸収軸方向と液晶素子１８の配向方向が平行であるモードである。Ｅモードの液晶素子１８とは、液晶素子１８の入射面側に配置される第１偏光子１６の吸収軸方向と液晶素子１８の配向方向が直交するモードである。
【００８６】
このような構成とすることによって、移動体用照灯１０６の構成を簡素化することができ、製造コストを削減することができる。
【００８７】
移動体用照灯１０６においても、第１偏光子１６ａ及び第１偏光子１６ｂ並びに第２偏光子２０ａ及び第２偏光子２０ｂの少なくとも１つを吸収型ワイヤーグリッド偏光子とすることが好適である。これによって、移動体用照灯１０６内において発生した迷光を吸収型ワイヤーグリッド偏光子に含まれる吸収層３２ｂによって吸収することができ、移動体用照灯１０６による照明においてコントラストを向上させることができる。
【００８８】
また、移動体用照灯１０６においても、ビームスプリッタ１２を吸収型ワイヤーグリッド偏光子としてもよい。これによって、ビームスプリッタ１２によっても移動体用照灯１０６における迷光を吸収させることで移動体用照灯１０６からの照射光のコントラストを向上させることができる。
【００８９】
［変形例４］
図８は、上記実施の形態の変形例４における移動体用照灯１０８の構成を示す。移動体用照灯１０８では、ビームスプリッタ１２として第１光路Ｓ１上に配置されるビームスプリッタ１２ａ及び第２光路Ｓ２上に配置されるビームスプリッタ１２ｂを設ける。ビームスプリッタ１２ａは、光源１０から入射される光を第１光路Ｓ１及び第２光路Ｓ２の２つに分離する。移動体用照灯１０８では、例えば、ビームスプリッタ１２ａは、光源１０から入射された光を紙面に垂直な偏光成分に分離して液晶素子１８ｃに向かう第１光路Ｓ１に反射させると共に、紙面に平行な偏光成分に分離してビームスプリッタ１２ｂに向かう第２光路Ｓ２に透過させる。ビームスプリッタ１２ｂは、ビームスプリッタ１２ａから入射された光を液晶素子１８ｄに向かう第２光路Ｓ２に反射させる。
【００９０】
移動体用照灯１０８では、液晶素子１８（１８ｃ，１８ｄ）は、液晶の配向状態を制御することで入射する偏光の状態を変化させることができる反射型液晶素子である。液晶素子１８ｃは第１光路Ｓ１上に配置され、液晶素子１８ｄは第２光路Ｓ２上に配置される。液晶素子１８（１８ｃ，１８ｄ）は、多数の液晶セル（画素）を二次元マトリックス状に配置し、それぞれの液晶セル（画素）の配向状態を制御することで入射する偏光の方向を維持もしくは９０度回転した偏光として出射することができる。したがって、液晶素子１８（１８ｃ，１８ｄ）によって第１光路Ｓ１の光の偏光状態及び第２光路Ｓ２の光の偏光状態を制御して自由な形状及び方向の偏光を出射させることができる。
【００９１】
液晶素子１８（１８ｃ，１８ｄ）の配向を制御することにより液晶素子１８ｃで出射された紙面に対して平行な偏光は、ビームスプリッタ１２ａを透過して第２偏光子２０ａに入射する。第２偏光子２０ａは、第１光路Ｓ１に沿った偏光と同じ方向に透過軸が一致するように配置される。すなわち、第２偏光子２０ａは、紙面に平行な方向の偏光成分の光を透過し、他の方向の偏光成分を遮断するように透過軸が配置される。第２偏光子２０ｂは、第２光路Ｓ２に沿った偏光と同じ方向に透過軸が一致するように配置される。すなわち、第２偏光子２０ｂは、紙面に垂直な方向の偏光成分の光を透過し、他の方向の偏光成分を遮断するように透過軸が配置される。レンズ２２（２２ａ，２２ｂ）は、移動体用照灯１００と同様に配置される。
【００９２】
このように、反射型の液晶素子１８を用いた移動体用照灯１０８を構成することができる。液晶素子１８を反射型とすることによって、移動体用照灯１０８の内部における熱発生を抑えることができ、装置全体の効率を向上させることができる。
【００９３】
なお、移動体用照灯１０８では、液晶素子１８自体を反射型としたが、液晶素子１８を透過型としてその背面に反射鏡等を設けて全体として反射型の光学素子として機能する構成としてもよい。
【００９４】
移動体用照灯１０８においても、第２偏光子２０ａ及び第２偏光子２０ｂの少なくとも１つを吸収型ワイヤーグリッド偏光子とすることが好適である。これによって、移動体用照灯１０８内において発生した迷光を吸収型ワイヤーグリッド偏光子に含まれる吸収層３２ｂによって吸収することができ、移動体用照灯１０８による照明においてコントラストを向上させることができる。
【００９５】
また、移動体用照灯１０８においても、ビームスプリッタ１２ａ及びビームスプリッタ１２ｂの少なくとも１つを吸収型ワイヤーグリッド偏光子としてもよい。これによって、ビームスプリッタ１２ａ及びビームスプリッタ１２ｂによっても移動体用照灯１０８における迷光を吸収させることで移動体用照灯１０８からの照射光のコントラストを向上させることができる。
【００９６】
[変形例５]
図９は、上記実施の形態の変形例５における移動体用照灯１１０の構成を示す。移動体用照灯１１０では、ビームスプリッタ１２を透過する第２光路Ｓ２に反射鏡１４、レンズ２２ｂを順に備える。
【００９７】
移動体用照灯１１０では、移動体用照灯１０８と同様に、液晶素子１８ｃは、液晶層の配向を制御することで入射する偏光の状態を変化させることができる反射型液晶素子である。これによって、光路Ｓ１の光は高いコントラストを有する照射光とすることができ、安全性の高いＡＤＢシステムが可能となる。
【００９８】
移動体用照灯１１０においても、ビームスプリッタ１２を吸収型ワイヤーグリッド偏光子とすることが好適である。これによって、移動体用照灯１１０内において発生した迷光を吸収層で吸収し、光路Ｓ１におけるコントラストを向上させることができる。
【００９９】
また、光路Ｓ２には偏光素子、液晶素子を設けないことにより、ビームスプリッタ１２を透過する光をロスすることなく利用することができる。また、光路Ｓ２の出射側に設けるレンズ２２ｂは、夜間に前方４０ｍの距離にある障害物を認識するのに適したものとすることが好適である。これによって、移動体用照灯１１０による光照射に対して対向車の眩しさを低減しかつ視認性を向上させることができる。
【符号の説明】
【０１００】
１０  光源、１２（１２ａ，１２ｂ）  ビームスプリッタ、１４  反射鏡、１６（１６ａ，１６ｂ）  第１偏光子、１８（１８ａ，１８ｂ，１８ｃ，１８ｄ）  液晶素子、２０（２０ａ，２０ｂ）  第２偏光子、２２（２２ａ，２２ｂ）  レンズ、２４  １／２波長板、３０  基板、３２  グリッド、３２ａ  反射偏光子、３２ｂ  吸収層、３４  構造体、１００，１０２，１０４，１０６，１０８，１１０  移動体用照灯。
【図１】
2020145036.tif 000010
【図２】
2020145036.tif 000011
【図３】
2020145036.tif 000012
【図４】
2020145036.tif 000013
【図５】
2020145036.tif 000014
【図６】
2020145036.tif 000015
【図７】
2020145036.tif 000016
【図８】
2020145036.tif 000017
【図９】
2020145036.tif 000018